(57)【要約】【課題】本発明は、天井等の被設置面に隙間無く取り付けることができる発光パネルであって、かつ、被設置面への取り付け・取り外しが容易な発光パネルを提供する。また、この発光パネルの取付構造を提供する。【解決手段】本発明の発光パネルは、フレーム部材を備える発光パネルであって、該フレーム部材は、パネル側嵌合部を含み、該パネル側嵌合部は、パネル中央に向かって延びた延伸部と、該延伸部の延伸方向端部から立設した立壁部と、立壁部の先端部から張出方向に張り出した張出部を有し、パネルを取り付ける際には、該発光パネルを発光面に対して平行な該張出方向にスライド移動させて取り付けが可能であり、かつ、パネルを取り外す際には、該発光パネルを該張出方向に一旦スライド移動させた後、該張出方向に対して逆方向にスライド移動させて取り外しが可能とされていることを特徴とする。【選択図】図５
2015138576.tif 000002
【特許請求の範囲】
【請求項１】
一方の主面に発光面を有し、かつ、他方の主面の周辺部の少なくとも一部を背面側覆部として覆うフレーム部材を備える発光パネルであって、
該フレーム部材は、被設置面に対して該発光パネルを取り付けるためのパネル側嵌合部を他方の主面側に含み、
該パネル側嵌合部は、該背面側覆部から他方の主面の中央に向かって延びた延伸部と、該延伸部の延伸方向端部から立設した立壁部と、立壁部の先端部から該延伸方向に平行な張出方向に張り出した張出部を有し、
該取り付ける際には、該発光パネルを発光面に対して平行な該張出方向にスライド移動させて該取り付けが可能であり、かつ、
該被設置面から該発光パネルを取り外す際には、該発光パネルを該張出方向に一旦スライド移動させた後、該張出方向に対して逆方向にスライド移動させて該取り外しが可能とされたことを特徴とする発光パネル。
【請求項２】
前記張出方向が、前記延伸方向と逆方向であることを特徴とする請求項１に記載の発光パネル。
【請求項３】
前記発光パネルが、前記発光面を含む有機ＥＬパネルを含み、
前記フレーム部材が、前記背面側覆部を含み、かつ、該有機ＥＬパネルの少なくとも一端辺に至る額縁部を含み、
該額縁部と前記延伸部の延伸方向端部との間に、これらに接して、また、該有機ＥＬパネルに接して、補強部材を備えることを特徴とする請求項１又は２に記載の発光パネル。
【請求項４】
前記有機ＥＬパネルは、少なくとも第１電極層と第２電極層の間に有機発光層が介在した積層構造を備える有機ＥＬ素子を備え、かつ、前記パネル側嵌合部は、該有機ＥＬ素子に給電するためのパネル側給電端子を有し、
前記取り付ける際には、外部電源と電気的に接続された前記被設置面側の取付側給電端子と、該パネル側給電端子とを、前記張出方向にスライド移動させることにより、相対的に摺動させて接触させて電気接続可能とされてなることを特徴とする請求項１〜３のいずれかに記載の発光パネル。
【請求項５】
前記張出部が、平面視、前記張出方向先端から前記立壁部に向かう線分と、同じく前記張出方向先端から前記立壁部に向かう線分であって、かつ、係止片及び固定用切り欠き部の端面によって形成される凹凸を含む凹凸線分とに挟まれた篏合片を含むことを特徴とする請求項１〜４のいずれかに記載の発光パネル。
【請求項６】
前記張出部が、２つの前記線分に挟まれた篏合片を２個以上含むことを特徴とする請求項５に記載の発光パネル。
【請求項７】
請求項１〜６のいずれかに記載の発光パネルと、前記被設置面に対して該発光パネルを取り付け可能な取付装置を備えた発光パネルの取付構造において、
該取付装置は、前記パネル側嵌合部と嵌合可能な取付側嵌合部と、当該取付側嵌合部よりも被設置面側に位置する連結部と、を有し、
該取付側嵌合部は、連結部に対して回動可能に取り付けられており、
該取付装置は、当該回動に伴って、少なくとも、取り付けられる発光パネルが被設置面に対して平行となる平行姿勢と、発光パネルが被設置面に対して交差する方向を向いた交差姿勢とに姿勢変更が可能であり、
前記発光パネルを取付装置に取り付ける際には、取付装置を交差姿勢に変更又は維持し、発光パネル又は取付装置の一方を発光面に対して平行にスライド移動させてパネル側嵌合部と取付側嵌合部を嵌合させることを特徴とする発光パネルの取付構造。
【請求項８】
前記取付装置は、前記平行姿勢及び前記交差姿勢のいずれの姿勢においても、発光パネルを支持可能であることを特徴とする請求項７に記載の発光パネルの取付構造。
【発明の詳細な説明】
【技術分野】
【０００１】
本発明は、発光パネルに関するものである。特に面状の発光領域を含む発光面を少なくとも一方の主面に備える照明用の発光パネルであって、被設置面への取り付け・取り外しが容易な発光パネルと、その取付構造に関するものである。
【背景技術】
【０００２】
近年、白熱灯や蛍光灯に代わる照明装置として有機ＥＬパネルが注目されている。
【０００３】
有機ＥＬパネルは、一般的に、ガラス基板等の基材上に有機ＥＬ素子を積層し、有機ＥＬ素子を封止する構造及び有機ＥＬ素子へ給電する構造を備えたものである。
【０００４】
また、有機ＥＬ素子は、一方又は双方が透光性を有する２つの電極を対向させ、この電極の間に有機化合物からなる発光層を積層したものである。有機ＥＬパネルは、電気的に励起された電子と正孔との再結合のエネルギーによって発光する。
【０００５】
照明装置として使用される有機ＥＬパネルは、通常の照明と同様、天井や壁等の被設置面に対して設置されるが、平面光源であるため、天井や壁等の被設置面に対して平行となる姿勢で固定されて使用されることが多い。
【０００６】
この天井や壁等の被設置面に照明パネルを固定する構造の一例が特許文献１に開示されている。特許文献１の照明装置は、被設置面に固定される本体と、筐体状の取付カバーと、支持具と、照明パネルと、保持部材を備えており、取付カバーは、支持具によって回動可能に支持されている。特許文献１の照明装置は、照明パネルを取り付ける際には、照明パネルを取付カバーに収納して仮固定し、照明パネルが取付カバーに仮固定された状態で取付カバーを回動させて、照明パネルを被設置面に対して平行な姿勢とする。そして、取付カバーを平行な姿勢で保持部材によって固定する。
【先行技術文献】
【特許文献】
【０００７】
【特許文献１】特開２０１２―１７４５０４号公報
【特許文献２】国際公開第２０１３／０３８９４７号
【発明の概要】
【発明が解決しようとする課題】
【０００８】
ところで、有機ＥＬパネルは、上記したように平面光源であるため、有機ＥＬパネルの設置面積が増加すれば、その分、発光面積が増加する。そのため、居住空間の天井や壁等の被設置面に密に敷き詰めて設置する場合がある（例えば、特許文献２）。こうすることで、天井や壁面等の被設置面の全面が発光したようにみえて、インテリア性が向上する。
【０００９】
しかしながら、特許文献１に記載の照明装置は、支持具と保持部材が本体を挟んで対向した位置にある。そのため、特許文献１に記載の照明装置は、組み立てた際に、支持具と保持部材が照明パネルの両側で照明パネルから張り出して位置することとなる。
【００１０】
そのため、特許文献１に記載の照明装置を平面状に敷き詰めた場合には、隣接する照明装置間に隙間が形成されてしまい、照明パネルが断続的に並んだようにみえてしまう。
【００１１】
そこで、本発明は、天井等の被設置面に隙間無く発光パネルを取り付けることができる発光パネルであって、かつ、被設置面への取り付け・取り外しが容易な発光パネル、及びその取付構造を提供することを目的とする。また、この発光パネルの取付構造を使用した発光パネルの並設構造を提供することを目的とする。
【課題を解決するための手段】
【００１２】
上記の課題を解決するための請求項１に記載の発明は、一方の主面に発光面を有し、かつ、他方の主面の周辺部の少なくとも一部を背面側覆部として覆うフレーム部材を備える発光パネルであって、
該フレーム部材は、被設置面に対して該発光パネルを取り付けるためのパネル側嵌合部を他方の主面側に含み、
該パネル側嵌合部は、該背面側覆部から他方の主面の中央に向かって延びた延伸部と、該延伸部の延伸方向端部から立設した立壁部と、立壁部の先端部から張出部を有し、
該取り付ける際には、該発光パネルを発光面に対して平行な該張出方向にスライド移動させて該取り付けが可能であり、かつ、
該被設置面から該発光パネルを取り外す際には、該発光パネルを該張出方向に一旦スライド移動させた後、該張出方向に対して逆方向にスライド移動させて該取り外しが可能とされたことを特徴とする発光パネルである。
【００１３】
ここでいう「被設置面」とは、発光パネルの取付対象となる壁面であり、天井や壁、床面などである。
【００１４】
このような本発明の発光パネルは、被設置面に隙間無く発光パネルを取り付けることができ、かつ、被設置面への取り付け・取り外し（以下、「パネルの脱着」とも言う。）が容易である。また、例えば、有機パネルのような、その薄さ、軽さに特徴がある面状光源を含む発光パネルであっても、その面状光源そのものに、特に、その面状光源の面の法線方向に直接的には力を及ぼすことなく、そのフレーム部材にのみ直接的に力を及ぼしながら、パネルの脱着が可能であり、面状光源の破損の発生等を防止することができる。
【００１５】
請求項２に記載の発明は、前記張出方向が、前記延伸方向と逆方向であることを特徴とする請求項１に記載の発光パネルである。
【００１６】
本発明の構成によれば、パネルの脱着時の反作用力は、フレーム部材や発光パネルの内側に向かう方向に主にかかるので、物理的に高強度で信頼性に優れたパネルの脱着が可能となる。
【００１７】
請求項３に記載の発明は、前記発光パネルが、前記発光面を含む有機ＥＬパネルを含み、前記フレーム部材が、前記背面側覆部を含み、かつ、該有機ＥＬパネルの少なくとも一端辺に至る額縁部を含み、
該額縁部と前記延伸部の延伸方向端部との間に、これらに接して、また、該有機ＥＬパネルに接して、補強部材を備えることを特徴とする請求項１又は２に記載の発光パネルである。
【００１８】
本発明の構成によれば、前記反作用力を、この補強部材で吸収可能なので、さらに高強度となる。
【００１９】
請求項４に記載の発明は、前記有機ＥＬパネルは、少なくとも第１電極層と第２電極層の間に有機発光層が介在した積層構造を備える有機ＥＬ素子を備え、かつ、前記パネル側嵌合部は、該有機ＥＬ素子に給電するためのパネル側給電端子を有し、
前記取り付ける際には、外部電源と電気的に接続された前記被設置面側の取付側給電端子と、該パネル側給電端子とを、前記張出方向にスライド移動させることにより、相対的に摺動させて接触させて電気接続可能とされてなることを特徴とする請求項１〜３のいずれかに記載の発光パネルである。
【００２０】
本発明の構成によれば、発光パネルを取付装置に取り付ける際には、取付側給電端子とパネル側給電端子を相対的に摺動させて接触させるので、取付側給電端子とパネル側給電端子の接触抵抗を低下させることができる。そのため、本発明の構成によれば、十分に取付側給電端子とパネル側給電端子間の通電をとることができ、抵抗損失を減らすことができる。
【００２１】
請求項５に記載の発明は、前記張出部が、平面視、前記張出方向先端から前記立壁部に向かう線分と、同じく前記張出方向先端から前記立壁部に向かう線分であって、かつ、係止片及び固定用切り欠き部の端面によって形成される凹凸を含む凹凸線分とに挟まれた篏合片を含むことを特徴とする請求項１〜４のいずれかに記載の発光パネルである。
【００２２】
本発明の構成によれば、上述の「発光パネルを該張出方向に一旦スライド移動させた後、該張出方向に対して逆方向にスライド移動させて該取り外」すことが可能な、いわゆる、プッシュ・プッシュ式のイジェクト機構に対応した、安価かつ高強度・高信頼性のパネル側嵌合部を備える発光パネルとなる。
【００２３】
請求項６に記載の発明は、前記張出部が、２つの前記線分に挟まれた篏合片を２個以上含むことを特徴とする請求項５に記載の発光パネルである。
【００２４】
本発明の構成によれば、張出部を、例えば、正負独立して給電することが可能な、給電端子間の接触よる短絡が防止された２つの給電用篏合片を含むものとしたり、給電用嵌合片と、嵌合片の１種である後述する信号用固定片であって、ノイズ防止された信号を外部からパネルに送信可能な信号用固定片とを含むものとしたりすることができる。より好ましくは、２つの給電用嵌合片及び信号用固定片を有する張出部を含むパネル側嵌合部とすることである。
【００２５】
また、請求項７に記載の発明は、請求項１〜６のいずれかに記載の発光パネルと、前記被設置面に対して該発光パネルを取り付け可能な取付装置を備えた発光パネルの取付構造において、
該取付装置は、前記パネル側嵌合部と嵌合可能な取付側嵌合部と、当該取付側嵌合部よりも被設置面側に位置する連結部と、を有し、
該取付側嵌合部は、連結部に対して回動可能に取り付けられており、
該取付装置は、当該回動に伴って、少なくとも、取り付けられる発光パネルが被設置面に対して平行となる平行姿勢と、発光パネルが被設置面に対して交差する方向を向いた交差姿勢とに姿勢変更が可能であり、
前記発光パネルを取付装置に取り付ける際には、取付装置を交差姿勢に変更又は維持し、発光パネル又は取付装置の一方を発光面に対して平行にスライド移動させてパネル側嵌合部と取付側嵌合部を嵌合させることを特徴とする発光パネルの取付構造である。
【００２６】
本発明の構成によれば、平行姿勢及び前記交差姿勢のいずれの姿勢でも、発光パネルを支持できるので、例えば、被設置面が天井である場合であっても、交差姿勢において、発光パネルが落下しない。そのため、平行姿勢に加えて、交差姿勢においても照明として機能させることも可能であり、インテリアの変更に合わせて発光パネルの姿勢を変更させることができる。
【００２７】
本発明の発光パネルの取付構造は、取付装置は、連結部に対して回動可能に取り付けられた取付側嵌合部を有しており、発光パネルは、発光面と反対側の面にパネル側嵌合部を有している。すなわち、本発明の発光パネルの取付構造は、取付装置と発光パネルのそれぞれに嵌合部を備えており、発光面と反対側で、これらが互いに嵌合して取付装置と発光パネルが一体となり、被設置面に対して前記発光パネルが取り付けられるものである。
【００２８】
そのため、発光パネルを被設置面に対して取り付けた際に、居住空間側からみると、取付装置と発光パネルのそれぞれの嵌合部は発光パネルで隠れており、嵌合部は、使用者からほとんど又は全く視認されない。つまり、使用者は、嵌合部の存在に違和感が生じることがなく、見栄えがよい。
【００２９】
また、本発明の構成によれば、取付装置は、取付側嵌合部が連結部に対して回動可能となっており、取付側嵌合部が回動することによって、取付対象たる発光パネルが被設置面に対して平行となる平行姿勢と、発光パネルが被設置面に対して交差する方向を向く交差姿勢に切り替わる。
【００３０】
すなわち、本発明の発光パネルの取付構造は、連結部と取付側嵌合部との間に回動中心が存在し、発光パネルのパネル側嵌合部と嵌合する部位と、回動中心となる部位が異なる。そのため、回動させる動作と嵌合させる動作を独立して行うことができる。
【００３１】
本発明の発光パネルの取付構造は、取付装置を平行姿勢にすることによって、通常の照明と同様、発光面から居住空間側を照らすことが可能となっており、発光パネルの照明機能を十分に発揮することができる。
【００３２】
また本発明の発光パネルの取付構造は、取付装置を交差姿勢にすることによって、発光パネルのパネル側嵌合部と嵌合可能な取付側嵌合部が被設置面に対して交差する方向を向くため、発光パネル又は取付装置を当該交差する方向にスライドさせることによって、発光パネルと取付装置を容易に嵌合することができる。
【００３３】
さらに、本発明の構成によれば、発光パネル又は取付装置の一方を発光面に対して平行にスライド移動させてパネル側嵌合部と取付側嵌合部を嵌合させるので、例えば、被設置面が天井であっても、平行姿勢に戻して照明として使用する際に、鉛直方向に対して直交する方向にパネル側嵌合部と取付側嵌合部が嵌合しているので、発光パネルが自重により落下しにくい。また、発光面が取付装置によって押圧されることなく、取付装置に対して発光パネルを着脱することが可能である。
【００３４】
請求項８に記載の発明は、前記取付装置は、前記平行姿勢及び前記交差姿勢のいずれの姿勢においても、発光パネルを支持可能であることを特徴とする請求項７１に記載の発光パネルの取付構造である。
【００３５】
本発明の構成によれば、平行姿勢及び前記交差姿勢のいずれの姿勢でも、発光パネルを支持できるので、例えば、被設置面が天井である場合であっても、交差姿勢において、発光パネルが落下しない。そのため、平行姿勢に加えて、交差姿勢においても照明として機能させることも可能であり、インテリアの変更に合わせて発光パネルの姿勢を変更させることができる。
【００３６】
さらに、前記取付側嵌合部の回動中心は、前記平行姿勢において、発光パネルを平面視したときに、発光パネルの端部近傍に位置していることが好ましい
ここでいう「発光パネルの端部近傍」とは、発光パネルの端部からの距離が５ｃｍ以内の範囲を表す。
【００３７】
このような構成とすることで、取付側嵌合部の回動中心は、平行姿勢において、中央から離れた位置である端部近傍に位置するので、平行姿勢から交差姿勢に変更する際の回動角が小さくても、容易にスライド移動させてパネル側嵌合部と取付側嵌合部を嵌合させることができる。
【００３８】
ところで、発光パネルを発光させるためには、発光パネルに電気を給電する必要がある。この発光パネルへ給電する構造の一例として、例えば特許文献２がある。
【００３９】
この特許文献２には、天井等に固定された保持部材から取付具を介して照明パネルに給電する給電構造を備えた照明器具が開示されている。
【００４０】
そして、この特許文献２の照明器具は、円柱状の保持部材の外周を覆うように取付具が取り付けられており、照明パネルは、保持部材を回転軸として回動可能に支持されている。
【００４１】
しかしながら、特許文献２の保持部材は、照明パネルの回動時の回転軸としての機能と、照明パネルへの給電の機能の双方を同時に担っているため、照明パネルを回転させると、保持部材と取付具の電気的な接点が照明パネルの姿勢によって変更され、保持部材と取付具間の抵抗値が変わる。そのため、特許文献２に記載の構造では、安定して給電することができないという問題がある。また、照明パネルを交換する際に、外部電源と接続される保持部材が露出するため、使用者が保持部材に触れてしまうおそれがあり、使用者の安全の観点から問題があった。
【００４２】
そこで、前記取付側嵌合部は、外部電源と電気的に接続されており、前記パネル側嵌合部と取付側嵌合部の嵌合により、発光パネルに給電されることが好ましく、外部電源と電気的に接続された取付側嵌合部がパネル側嵌合部と嵌合することにより、発光パネルに給電されるので、新たに独立して給電用の配線を設ける必要がない。また、上記したように、発光パネルの姿勢変更は、取付側嵌合部と連結部の関係で行い、給電はパネル側嵌合部と取付側嵌合部の関係で行う。すなわち、特許文献２とは異なり、発光パネルの姿勢を変更する機能と、発光パネルへ給電する機能を担う部位が異なるため、発光パネルの姿勢の変更により、抵抗値は変化せず、発光パネルに安定して給電することができる。
【００４３】
さらに、前記取付側嵌合部は、前記連結部と自在継手により接続されていることが好ましい。
【００４４】
ここでいう「自在継手」とは、２つの材の接合する角度が自由に変化する継手を表し、ボールベアリング等の上位概念である。
【００４５】
このような構成とすることで、取付側嵌合部と連結部は、自在継手により接続されているので、回動角が大きく、平行姿勢以外でもインテリア等に合わせて、様々な姿勢で固定できる。そのため、装飾性が高い発光パネルの取付構造となる。
【００４６】
さらに、前記取付装置は、前記交差姿勢において、前記取付側嵌合部を平行姿勢のときよりも被設置面に対して垂直方向に離れた位置に配置可能であることが好ましい。
【００４７】
このような構成とすることで、取付側嵌合部を平行姿勢のときよりも被設置面に対して垂直方向に離れた位置に配置可能であるので、たとえ被設置面に複数の発光パネルが敷き詰められており、本発明の発光パネルの周囲に他の発光パネルが設置されている場合であっても、他の発光パネルよりも被設置面からの距離が一段離れた位置で取付側嵌合部とパネル側嵌合部を嵌合させることができるため、嵌合時に他の発光パネルが邪魔にならない。また、他の発光パネルとの間に取付作業用の隙間を形成しなくてもよく、複数の発光パネルを発光面の面方向に密に配置することができる。
【００４８】
さらに、前記取付装置は、被設置面に固定される固定部と、伸縮可能な伸縮部を有し、前記伸縮部は、前記固定部と取付側嵌合部との間に介在しており、前記取付装置は、前記交差姿勢において、前記取付側嵌合部が平行姿勢のときよりも被設置面に対して垂直方向に離れた位置になるように伸ばすことが可能であることが好ましい。
【００４９】
このような構成とすることで、伸縮部の伸縮機能により、取付側嵌合部が平行姿勢のときよりも被設置面に対して垂直方向に離れた位置になるので、伸縮部そのものが設置の邪魔になりにくい。
【００５０】
さらに、前記発光パネルは、少なくとも第１電極層と第２電極層の間に有機発光層が介在した積層構造を備える有機ＥＬ素子を内蔵することが好ましい。
【００５１】
このような構成とすることで、発光パネルは有機ＥＬ素子を有した発光パネルであるから、薄くて軽く、自重により落下しにくい。そのため、安全性が高く、高信頼性を有する発光パネルの取付構造となる。
【００５２】
さらに、前記発光パネルを複数有し、前記発光パネルは、面状に広がりをもって並んでおり、前記取付装置は、前記取付側嵌合部を複数有し、前記取付側嵌合部は、前記発光パネルに対応して配されており、取付側嵌合部の回動中心は、発光パネルの嵌合方向の長さの間隔で並設されていることが好ましい
このような構成とすることで、発光パネルは、面状に広がりをもって並んでおり、取付側嵌合部の回動中心は、発光パネルの嵌合方向の長さの間隔で並設されているので、実質的に発光パネル間に隙間を形成することなく配置できる。
【００５３】
ここでいう「実質的に発光パネル間に隙間」がない状態とは、隙間が数ミリ以下であって、指や機器等が入らない程度の隙間を許容するものである。
【００５４】
またさらに、前記発光パネルの取付構造を複数有し、前記発光パネルの取付構造は、面状に広がりをもって並んでおり、取付側嵌合部の回動中心は、発光パネルの嵌合方向の長さの間隔で並設されていることを特徴とする発光パネルの並設構造も本発明の好ましい実施形態である。
【００５５】
このような本発明の好ましい実施形態によれば、発光パネルは、面状に広がりをもって並んでおり、取付側嵌合部の回動中心は、発光パネルの嵌合方向の長さの間隔で並設されているので、実質的に発光パネル間に隙間を形成することなく発光パネルを配置できる。
【発明の効果】
【００５６】
本発明の発光パネルによれば、天井等の被設置面に隙間無く取り付けることができる発光パネルであって、かつ、被設置面への取り付け・取り外しが容易な発光パネルとなる。
【図面の簡単な説明】
【００５７】
【図１】本発明の第１実施形態に係る発光パネルの並列構造から発光パネルを取り外した状態を模式的に表す分解斜視図である。
【図２】本発明の第１実施形態に係る発光パネルの取付構造を模式的に表す斜視図である。
【図３】図２の発光パネルの取付構造の分解斜視図である。
【図４】図２の発光パネルの取付構造の断面図であり、（ａ）はＡ−Ａ断面を表し、（ｂ）はＢ−Ｂ断面を表し、（ｃ）はＣ−Ｃ断面を表す。
【図５】図３の発光パネルの分解斜視図である。
【図６】図５の張出部の平面図である。
【図７】図５のパネル側給電部と有機ＥＬ素子の各層との対応関係を表す模式図である。
【図８】図３の取付装置の取付側嵌合部の分解斜視図である。
【図９】図３の取付装置の姿勢変更部を表す斜視図である。
【図１０】図３の嵌合受け部の分解斜視図である。
【図１１】図３の取付側嵌合部の要部を別の方向からみた斜視図である。
【図１２】図２の発光パネルを取付装置に取り付ける際の嵌合受け部の内部構造を表す平面図であり、（ａ）〜（ｃ）は取り付ける際の工程を表す。
【図１３】図２の発光パネルを取付装置から取り外す際の嵌合受け部の内部構造を表す平面図であり、（ａ）〜（ｃ）は取り外す際の工程を表す。
【図１４】図２の発光パネルの取付構造の要部の各姿勢における断面図であり、（ａ）は平行姿勢を表し、（ｂ）は交差姿勢を表す。
【図１５】図２の発光パネルの取付構造の要部の各姿勢における断面図であり、（ａ）は基本姿勢を表し、（ｂ）は延伸姿勢を表す。
【図１６】本発明の第２実施形態における発光パネルの取付構造の分解斜視図である。
【図１７】図１６の姿勢変更部を表す斜視図である。
【図１８】本発明の第２実施形態の発光パネルの可動範囲を表す概念図である。
【図１９】本発明の第３実施形態の発光パネルの取付構造を表す分解斜視図である。
【図２０】本発明の第３実施形態の発光パネルの取付構造の要部の一部破断斜視図である。
【図２１】本発明の第４実施形態の発光パネルの取付構造を表す分解斜視図である。
【図２２】本発明の第４実施形態の発光パネルの取付構造の要部の各姿勢における断面図であり、（ａ）は平行姿勢を表し、（ｂ）は交差姿勢を表す。
【図２３】本発明の第５実施形態の発光パネルの取付構造の要部の各姿勢における断面図であり、（ａ）は平行姿勢を表し、（ｂ）は垂直姿勢を表す。
【図２４】本発明の第５実施形態の発光パネルの取付構造の要部の各姿勢における断面図であり、（ａ）は基本姿勢を表し、（ｂ）は延伸姿勢を表す。
【図２５】図２３の発光パネルの取付構造の移動例を表す模式図である。
【図２６】本発明の他の実施形態を表す断面図である。
【発明を実施するための形態】
【００５８】
本発明は、主に照明装置として使用される発光パネル、及びその取付構造１に係るものである。以下、上下左右の位置関係は、特に断りのない限り、図２の姿勢を基準に説明する。すなわち、発光パネル２の点灯時における光取り出し側が下である。また、下記に記載する物性は、特に断りの無い限り、標準状態での物性を表し、図面は、理解を容易にするために全体的に実際の大きさ（長さ、幅、厚さ）に比べて誇張して描写していることがある。
【００５９】
本発明の第１実施形態の発光パネルの取付構造１は、図１に示されるように、天井や壁等の被設置面４に発光パネル２を取り付けるものである。
【００６０】
また、発光パネルの取付構造１は、複数の発光パネルの取付構造１とともに並べられて発光パネルの並設構造９を形成するものである。
【００６１】
第１実施形態の発光パネルの取付構造１は、被設置面４に対して直交方向に回動させて、所定の姿勢にすることによって発光パネル２の脱着が可能とするところに特徴の一つを有している。
【００６２】
発光パネルの取付構造１は、図２に示されるように、発光パネル２と、取付装置３を備えている。
【００６３】
本発明の発光パネル２は、図５に示されるように、フレーム部材５と、面状光源、例えば、有機ＥＬパネル６とを含み、好ましくは、補強部材７を含み、これらに必要な部材が追加された構成部材から形成されている。
【００６４】
フレーム部材５は、面状光源、例えば、有機ＥＬパネル６のフレームとして機能する部材であって、パネル６を取付装置３（図２参照）に対して固定する部材である。
【００６５】
フレーム部材５は、額縁部１０と、パネル側嵌合部１１とを含み、好ましくはさらにパネル側固定部１２を含み、これらに必要な部位が追加された構成部位から形成されている。
【００６６】
額縁部１０は、図４から読み取れるように、パネル６の周辺部の少なくとも一部を背面側覆部１７として覆い、好ましくは、その端面を被覆する部位であり、好ましくは、平面視すると四角環状の部位である。すなわち、好ましくは、有機ＥＬパネル６の各辺に沿って延びている。
【００６７】
額縁部１０は、図４のように、断面形状が略「コ」の字状の部位とすることが好ましく、この場合には、発光側覆部１５と、端面覆部１６と、背面側覆部１７から形成されている。
【００６８】
発光側覆部１５と背面側覆部１７は、図５のように、上下方向Ｚに互いに対面するように、所定の間隔を空けて配されており、端面覆部１６は、発光側覆部１５の端部と背面側覆部１７の端部を接続している。換言すると、端面覆部１６は、発光側覆部１５に対して立設されており、さらに背面側覆部１７に対しても立設されている。
【００６９】
発光側覆部１５は、図４のように、発光パネル２を組み立てたときに、有機ＥＬパネル６の発光面８側を覆う部位である。端面覆部１６は、発光パネル２を組み立てたときに、有機ＥＬパネル６の端面を覆う部位である。背面側覆部１７は、発光パネル２を組み立てたときに、有機ＥＬパネル６の背面を覆う部位である。
【００７０】
また、端面覆部１６は、背面側覆部１７から発光側覆部１５にかけて、ゆるやかに丸みを帯びながら、下り傾斜していることが好ましい。すなわち、発光側覆部１５の外縁の大きさは、背面側覆部１７の外縁大きさよりも小さいことが好ましい。
【００７１】
パネル側嵌合部１１は、図４，図５から読み取れるように、断面形状が「コ」の字状の部位であり、背面側覆部１７から中央に向かって延びた延伸部２０と、延伸部２０の延伸方向端部から立設した立壁部２１と、立壁部２１の先端部から該延伸方向に平行な張出方向に張り出した、図４、図５においては、その張出方向が、前記延伸方向と逆方向である張出部２２を有している。すなわち、パネル側嵌合部１１は、延伸部２０と張出部２２とが上下方向に所定の間隔を空けて平行に位置しており、好ましくは対面しており、延伸部２０と張出部２２の中央側端部間は立壁部２１で接続されている。
【００７２】
延伸部２０は、図５に示されるように、背面側覆部１７の幅方向中央部位から長さ方向Ｙに延伸した舌状の部位である。立壁部２１は、延伸部２０と張出部２２の間隔を維持する部位である。張出部２２は、嵌合時に取付側嵌合部５６との嵌合状態を維持する部位である。
【００７３】
張出部２２は、図５の拡大図に示されるように、好ましくは、２つの給電用嵌合片２５，２６及び信号用固定片２７を有している。
【００７４】
２つの給電用嵌合片２５，２６及び信号用固定片２７は、幅方向Ｘに互いに平行となっており、幅方向Ｘの一方から他方にかけて、例えば、給電用嵌合片２５、給電用嵌合片２６、信号用固定片２７の順に並列されている。
【００７５】
給電用嵌合片２５は、図６に示されるように、長辺が長さ方向Ｙを向いた長方形状の小片であり、パネル側給電端子３２を有している。
【００７６】
パネル側給電端子３２は、発光パネル２を組み立てた際に、発光パネル２のパネル側給電部８６と電気的に接続される部位であり、発光パネル２を取付装置３に取り付けた際に、取付側給電端子９０との電気的な接点となる部位である。
【００７７】
給電用嵌合片２６は、図６に示されるように、長辺が長さ方向Ｙを向いた略長方形状の小片であり、パネル側給電端子３３を有している。
【００７８】
パネル側給電端子３３は、発光パネル２を組み立てた際に、発光パネル２のパネル側給電部８７と電気的に接続される部位であり、発光パネル２を取付装置３に取り付けた際に、取付側給電端子９１との電気的な接点となる部位である。
【００７９】
信号用固定片２７は、図６に示されるように、長辺が長さ方向Ｙを向いた略長方形状の小片であり、信号用導電部３５を有している。
【００８０】
信号用導電部３５は、実装部７２で制御された命令を有機ＥＬパネル６に伝達する部位である。信号用固定片２７の厚みＴ２は、図５の拡大図のように給電用嵌合片２５，２６の厚みＴ１よりも厚い。また、信号用固定片２７は、給電用嵌合片２５，２６よりも剛性が高い。
【００８１】
中央に位置する給電用嵌合片２６は、図６に示されるように、本体部３６と、係止片３７と、固定用切り欠き部３８から形成されている。
【００８２】
本体部３６は、給電用嵌合片２６の骨格となる部位であり、パネル側給電端子３３が設けられた部位である。
【００８３】
係止片３７は、本体部３６の幅方向Ｘの一方の端部（信号用固定片２７側の端部）から信号用固定片２７に向けて突出した部位である。係止片３７は、給電用嵌合片２６の突出方向Ｙの先端面に本体部３６に向けて傾斜した傾斜面３９を有している。
【００８４】
固定用切り欠き部３８は、係止片３７と長さ方向Ｙに連続し、本体部３６の中央に向かって切り欠いた部位である。
【００８５】
張出部２２を別の観点からみると、張出部２２は、図６に示されるように、切り欠き部３０，３１によって複数に分割されて、２つの給電用嵌合片２５，２６及び信号用固定片２７が形成されている。
【００８６】
切り欠き部３０は、給電用嵌合片２５，２６間の短絡を防止するための切り欠きであって、さらに、嵌合時に実装部７２の遮断部７８（図１１参照）を避けるための切り欠きでもある。すなわち、切り欠き部３０の幅Ｗ１は、実装部７２の遮断部７８の幅Ｗ２（図８参照）よりも大きい。言い換えると、給電用嵌合片２５，２６は、実装部７２の遮断部７８の幅よりも大きく離間している。
【００８７】
切り欠き部３１は、給電用嵌合片２６及び信号用固定片２７間の短絡を防止するための切り欠きであって、さらに、嵌合時に嵌合受け部７１の側壁部１０７（図８参照）を避けるための切り欠きでもある。すなわち、切り欠き部３１の幅Ｗ３は、嵌合受け部７１のスライド部材９６から側壁部１０７までの幅Ｗ４（図１０参照）よりも大きい。言い換えると、給電用嵌合片２６及び信号用固定片２７は、嵌合受け部７１のスライド部材９６から側壁部１０７までの幅Ｗ４よりも大きく離間している。
【００８８】
切り欠き部３１は、図６に示されるように、平面視したときに、張出部２２の張出方向先端から基端側（立壁部２１側）に向かって、係止片３７及び固定用切り欠き部３８の端面によって形成される凹凸を線分として有する。
【００８９】
さらに別の観点からみると、切り欠き部３１は、図６に示されるように、張出部２２を、取付側嵌合部５６との嵌合時に嵌合受け部７１の挿入空間７５に挿入される挿入領域２８と、嵌合受け部７１の外側に位置する露出領域２９に分割している。すなわち、挿入領域２８は、給電用嵌合片２５，２６が位置する領域であり、露出領域２９は、信号用固定片２７が位置する領域である。
【００９０】
パネル側嵌合部１１と反対側に位置するパネル側固定部１２は、図５に示されるように、背面側覆部１７から中央に向けて長さ方向Ｙに延びた延伸部４１と、延伸部４１の幅方向Ｘ両端部にそれぞれ固定片４２，４３を有している。
【００９１】
固定片４２，４３は、延伸部４１に対して段状に連続し、さらに中央側に延びた部位である。固定片４２，４３は、延伸方向Ｙ端部近傍に固定穴４５，４６を有している。
【００９２】
固定穴４５，４６は、取付装置３の取付側固定部５２，５３を挿入可能な穴である。具体的には、固定穴４５，４６は、固定片４２，４３の部材厚方向に貫通した貫通孔である。
【００９３】
有機ＥＬパネル６は、図７のように有機ＥＬ素子８０（発光素子）を内蔵した有機ＥＬパネルであり、一方の主面（片面）に発光面８（図１参照）を有している。
【００９４】
すなわち、有機ＥＬパネル６は、図７に示されるように、面状に広がりをもった基材８１上に、有機ＥＬ素子８０が積層した積層構造を内蔵している。
【００９５】
有機ＥＬ素子８０は、基材８１側から少なくとも第１電極層８２と、有機発光層８３と、第２電極層８５を備えた積層構造を有したものである。
【００９６】
また、本実施形態の有機ＥＬパネル６は、基材８１側から光を取り出すボトムエミッション型の有機ＥＬパネルである。
【００９７】
有機ＥＬパネル６は、多角形状の板状パネルであり、本実施形態の有機ＥＬパネル６は、四角形状の板状パネルである。すなわち、有機ＥＬパネル６は、面方向に対向する２辺を有している。
【００９８】
有機ＥＬパネル６は、図５から読み取れるように、反対面（発光面８側の面と反対面）にパネル側給電部８６，８７を有している。
【００９９】
すなわち、発光面８側に基材８１が位置しており、パネル側給電部８６，８７側に第２電極層８５が位置している。
【０１００】
パネル側給電部８６は、図７のように、有機ＥＬ素子８０の第１電極層８２と電気的に接続されており、パネル側給電部８７は、有機ＥＬ素子８０の第２電極層８５と電気的に接続されている。有機ＥＬパネル６は、その内部で、パネル側給電部８６から第１電極層８２、有機発光層８３、及び第２電極層８５を通過してパネル側給電部８７を結ぶ導電経路が形成されている。そのため、有機ＥＬパネル６は、パネル側給電部８６，８７間に電圧が印加されることにより、有機発光層８３が発光し発光面８が発光する。
【０１０１】
補強部材７は、図５に示されるように、有機ＥＬパネル６の剛性を補強する部材であり、パネル側嵌合部１１及びパネル側固定部１２を避けるように形成された板状部材である。
【０１０２】
補強部材７の素材としては、有機ＥＬパネル６の剛性を補強できるものであれば、特に限定されるものではなく、例えば、アルミニウムや鉄、ニッケル、コバルト、ガドリニウムなどの単体や合金、酸化物などである。
【０１０３】
本実施形態の補強部材７は、アルミニウム板で形成されている。
【０１０４】
ここで、発光パネル２の各構成部位の位置関係について説明する。
【０１０５】
発光パネル２は、図３，図４，図５から読み取れるように、有機ＥＬパネル６上に補強部材７が載置されており、有機ＥＬパネル６の端部をフレーム部材５が覆っている。補強部材７は、フレーム部材５を避けるように配されている。
【０１０６】
フレーム部材５のパネル側嵌合部１１は、有機ＥＬパネル６の発光面８に対して反対側の主面に位置している。
【０１０７】
すなわち、発光パネル２全体では、発光パネル２の一方の主面（発光側主面）に発光面８が位置し、他方の主面（背面側主面）上にパネル側嵌合部１１が位置している。
【０１０８】
給電用嵌合片２５，２６及び信号用固定片２７は、図４に示されるように、有機ＥＬパネル６の発光面８に対して平行となっている。給電用嵌合片２５，２６及び信号用固定片２７は、発光パネル２を平面視したときに発光パネル２の内側であって、発光パネル２の端部近傍に位置している。給電用嵌合片２５，２６及び信号用固定片２７の突出方向は、固定片４２，４３の延伸方向と同一方向を向いている。
【０１０９】
給電用嵌合片２５，２６及び信号用固定片２７と、固定片４２，４３の固定穴４５，４６は、図３から読み取れるように、発光パネル２を平面視したときに所定の間隔をあけて分布している。
【０１１０】
取付装置３は、図２，図３から読み取れるように、ベース部５０（固定部）と、取付部５１と、取付側固定部５２，５３を有している。
【０１１１】
ベース部５０は、図４のように、天井等の被設置面４に固定される部位であり、取付装置３のベースとなる部位である。
【０１１２】
取付部５１は、発光パネル２をベース部５０に対して取り付ける部位であり、姿勢変更部５５と、取付側嵌合部５６を有している。
【０１１３】
姿勢変更部５５は、図３のように、伸縮自在の伸縮部５８と、接続部５９と、連結部６０から形成されている。
【０１１４】
伸縮部５８は、ベース部５０に対して垂下されて固定される部位であり、上下方向（ベース部５０に対して直交する方向）に伸縮可能な部位である。伸縮部５８は、具体的には、蛇腹状のホースである。
【０１１５】
接続部５９は、図２のように、伸縮部５８と連結部６０を接続する部位である。
【０１１６】
接続部５９は、断面形状が直角三角形状の三角柱状の部位であり、三角柱が水平方向に傾倒した姿勢となっている。すなわち、接続部５９の斜面６２は、図４のように、ベース部５０に対して交差する方向であって、下方側を向いている。
【０１１７】
連結部６０は、図９に示されるように、軸部６５と、ボール部６６を有している。
【０１１８】
軸部６５は、接続部５９の斜面６２から垂線方向に突出した部位であり、円柱状の部位である。突出方向先端でボール部６６が接続されている。
【０１１９】
ボール部６６は、後述する取付側嵌合部５６のボール受け部７０と係合可能な部位であり、略球状の部位である。また、ボール部６６は、取付側嵌合部５６のボール受け部７０内に収納されることによってボールジョイントとして機能する部位である。すなわち、ボール部６６は、発光パネル２の回動中心となる。
【０１２０】
取付側嵌合部５６は、図８のように、骨格部６９と、本体部６７と、実装部７２から形成されている。
【０１２１】
骨格部６９は、取付側嵌合部５６の骨組みを形成する部位であり、ボール受け部７０を有している。
【０１２２】
ボール受け部７０は、連結部６０のボール部６６（図９参照）と対をなす部位であり、ボール部６６の一部又は全部を収納可能な収納空間７３を有した部位である。ボール受け部７０は、内側面が凹球面状の部位である。
【０１２３】
本体部６７は、図８に示されるように、載置部６８と、嵌合受け部７１から形成されている。
【０１２４】
載置部６８は、嵌合受け部７１を載置する部位であり、骨格部６９に対して嵌合受け部７１の位置を固定する部位である。
【０１２５】
嵌合受け部７１は、発光パネル２の給電用嵌合片２５，２６と嵌合可能な部位である。
【０１２６】
嵌合受け部７１は、図１０のように、一方方向に開放した箱状体であり、その内部に給電用嵌合片２５，２６を挿入可能な挿入空間７５を有している。
【０１２７】
挿入空間７５は、筐体部９５及びカバー部９４で囲まれた空間であり、筐体部９５及びカバー部９４からなる挿入開口７４を介して外部と連通した空間である。すなわち、嵌合受け部７１は、一方の端部が開放端となっている。
【０１２８】
嵌合受け部７１は、図１０に示されるように、挿入空間７５内に取付側給電端子９０，９１を有している。
【０１２９】
取付側給電端子９０，９１は、外部電源と電気的に接続可能な部位であり、複数のコンタクト部９２，９３から形成されている。
【０１３０】
コンタクト部９２，９３は、発光パネル２を取付装置３に取り付けたときに、パネル側嵌合部１１のパネル側給電端子３２，３３と接触する部位である。
【０１３１】
コンタクト部９２，９３は、幅方向に１列に配列されている。コンタクト部９２，９３は、公知のカンチレバーコンタクトである。
【０１３２】
嵌合受け部７１は、図１０に示されるように、その内部にプッシュ・プッシュ式のイジェクト機構７６を備えている。
【０１３３】
イジェクト機構７６は、給電用嵌合片２５，２６を挿入空間７５に押し込むと給電用嵌合片２６がロックされ、給電用嵌合片２５，２６を再度押込むと、ロックが解除されて給電用嵌合片２５，２６が挿入空間７５から排出できる機構である。
【０１３４】
具体的には、イジェクト機構７６は、スライド部材９６、板ばね９７、圧縮コイルばね９８及び案内棒９９によって構成されている。
【０１３５】
スライド部材９６は、嵌合受け部７１の側壁部１０７に沿ってスライド可能な部材である。スライド部材９６は、給電用嵌合片２６を挿入した時に係止片３７の傾斜面３９に当接する係合面１０１を有している。係合面１０１は、係止片３７の傾斜面３９（図６参照）と同じ勾配をもつ斜面である。
【０１３６】
また、スライド部材９６は、平面視ハート形状のカム溝１００を有している。
【０１３７】
カム溝１００は、Ｖ字状に陥没する係止溝（図示しない）を有しており、始点からの係止溝（図示しない）へ向かう軌跡を描く行側経路と、係止溝（図示しない）から始点へ戻る軌跡を描く戻側経路を有している。すなわち、カム溝１００内での案内棒９９の駆動部１１５の軌跡は、行側経路と戻側経路から構成されており、駆動部１１５が部分的に逆行することはあっても、全行程において駆動部１１５が逆行しない不可逆の連続軌跡を描いている。
【０１３８】
板ばね９７は、図１０に示されるように、１枚の板状体を折り曲げて形成したものであり、突出片１０２と反転片１０３を有している。
【０１３９】
突出片１０２は、挿入空間７５の中央側に突出した部位であり、反転片１０３との接続部位近傍に第１屈曲部１０５を有している。
【０１４０】
第１屈曲部１０５は、給電用嵌合片２５，２６を嵌合受け部７１に挿入する際に、給電用嵌合片２６を係止する部位である。
【０１４１】
反転片１０３は、突出片１０２から屈曲されて、突出片１０２の端部に向かって反転した部位である。
【０１４２】
反転片１０３は、端部近傍に第２屈曲部１０６を有している。第２屈曲部１０６は、第１屈曲部１０５と相反する向きに形成されている。
【０１４３】
圧縮コイルばね９８は、スライド部材９６を給電用嵌合片２５，２６の挿入方向に付勢する部材である。
【０１４４】
案内棒９９は、「コ」の字状の線状体であり、カム溝１００に連結する駆動部１１５と、停止壁１０８の穴１１２に固定される固定部１１６を有している。すなわち、案内棒９９の駆動部１１５は、固定部１１６を支点としてハート型のカム溝１００内を従動できる。
【０１４５】
カバー部９４には、案内棒９９をカム溝１００の底面に付勢する片持ち状のばね片１１０を備えている。
【０１４６】
筐体部９５の壁面を形成する側壁部１０７の近傍には、スライド部材９６の移動を規制するガイド溝（図示しない）を備えている。ガイド溝（図示しない）は、スライド部材９６を直線運動以外の移動を規制する部位である。
【０１４７】
ここで、嵌合受け部７１の各部位の位置関係について説明すると、突出片１０２の一方端部（基端部）は、スライド部材９６に固定されており、突出片１０２の先端部は、嵌合受け部７１の挿入開口７４に向かって突出している。スライド部材９６は、圧縮コイルばね９８に付勢されており、嵌合受け部７１の挿入開口７４側に停止している。
【０１４８】
実装部７２は、図８から読み取れるように、実装回路を備えた基板本体７７と、基板本体７７から突出した遮断部７８を備えている。
【０１４９】
遮断部７８は、取付側嵌合部５６を組み立てたときに、使用者が誤って嵌合受け部７１の挿入開口７４にＳＤカード等の給電用嵌合片２５，２６とは異なる他の部材を差し込むことを防止する部位である。
【０１５０】
本実施形態の遮断部７８は、基板本体７７の実装回路の一部を構成する抵抗体であり、例えば、チップ抵抗などである。
【０１５１】
取付側固定部５２，５３は、図２に示されるように、発光パネル２のパネル側固定部１２の固定穴４５，４６と係合して発光パネル２の姿勢を保持する部位である。
【０１５２】
取付側固定部５２，５３は、伸縮可能な部位であり、基端側（ベース部５０側）から先端側に向けてテーパー状に伸びた部位である。具体的には、取付側固定部５２は、基端側（ベース部５０側）から先端側に向けて縮径されたコイルばねである。
【０１５３】
ここで、取付装置３を構成する各部位の位置関係について説明する。
【０１５４】
伸縮部５８及び取付側固定部５２，５３は、図２のように、ベース部５０の下面において面状に分布されて固定され、垂下されている。
【０１５５】
接続部５９の天面６１には、図９のように、伸縮部５８が接続されており、接続部５９の斜面６２には、連結部６０の軸部６５が接続されている。すなわち、連結部６０は、伸縮部５８に対して傾斜しており、被設置面４と平行となる面に対して所定の角度αで傾斜している。
【０１５６】
連結部６０の角度αは、３０度以上６０度以下であることが好ましい。
【０１５７】
本実施形態では、連結部６０の角度αは、４５度となっている。
【０１５８】
実装部７２は、図１１に示されるように、嵌合受け部７１の上方に位置しており、遮断部７８は、嵌合受け部７１の挿入空間７５の一部を塞ぐように設けられている。
【０１５９】
図３に示されるように、ボール受け部７０の収納空間７３内にボール部６６が収納されている。すなわち、ボール受け部７０とボール部６６によって自在継手を構成しており、連結部６０に対して取付側嵌合部５６の接合する角度を自由に変化させることが可能である。
【０１６０】
取付側嵌合部５６の回動中心となるボール部６６は、平面視したときの発光パネル２の内側であって、発光パネル２の端部から発光パネル２の１／３の範囲に位置している。取付側嵌合部５６の回動中心となるボール部６６は、発光パネル２の端部近傍に位置していることが好ましい。
【０１６１】
続いて、発光パネルの取付構造１を用いて、発光パネル２を取付装置３に脱着する際の位置関係について説明する。
【０１６２】
まず、発光パネル２を取付装置３に取り付ける際の位置関係について説明する。
【０１６３】
取付側嵌合部５６に対してパネル側嵌合部１１をスライド移動させて嵌合させる。すなわち、発光パネル２の発光面８に平行な方向（嵌合方向）に発光パネル２をスライド移動させて取り付ける。
【０１６４】
具体的には、パネル側嵌合部１１の給電用嵌合片２５，２６を取付側嵌合部５６の嵌合受け部７１の挿入空間７５内に挿入し、給電用嵌合片２６と信号用固定片２７との間に嵌合受け部７１の側面をなす側壁部１０７を介在させる。
【０１６５】
このとき、パネル側給電端子３２，３３をベース用導電部９０，９１に摺動させて取り付ける。すなわち、パネル側給電端子３２，３３をベース用導電部９０，９１に接触させながら、スライド移動させて取り付ける。そのため、パネル側給電端子３２，３３をベース用導電部９０，９１に十分に接触させることができ、十分な導通を取ることができる。
【０１６６】
また、信号用固定片２７の信号用導電部３５は、実装部７２の実装回路の一部と電気的に接続されている。
【０１６７】
このときの動作を嵌合受け部７１の内部に注目して説明すると、図１２（ａ）のように、給電用嵌合片２５，２６を挿入空間７５に挿入すると、給電用嵌合片２６の傾斜面３９が第１屈曲部１０５に当接する。さらに、給電用嵌合片２５，２６を挿入すると、第１屈曲部１０５は、傾斜面３９に沿ってスライドしながら、傾斜面３９から離反する方向に弾性変形する。そして、傾斜面３９が係合面１０１に当接すると、第１屈曲部１０５は、図１２（ｂ）のように、給電用嵌合片２６の係止片３７から固定用切り欠き部３８内に挿入される。
【０１６８】
そして、給電用嵌合片２５，２６を押し切った後、給電用嵌合片２５，２６の押圧をやめると若干戻った状態で、案内棒９９の駆動部１１５が行側経路を通って係止溝（図示しない）に係止される。また、スライド部材９６が圧縮コイルばね９８に付勢されて、給電用嵌合片２５，２６が挿入空間７５内でロックされる。
【０１６９】
このとき、突出片１０２の先端部にある第１屈曲部１０５が固定用切り欠き部３８内で弾性をもって係止しているので、給電用嵌合片２５，２６が抜けない。
【０１７０】
続いて、発光パネル２を取付装置３から取り外す際の位置関係について説明する。
【０１７１】
取付側嵌合部５６に対してパネル側嵌合部１１を嵌合方向にスライド移動させた後、引き抜く。すなわち、一旦、発光面８と平行となる嵌合方向にスライド移動させた後、嵌合方向に対して逆方向にスライド移動させて取り外す。
【０１７２】
具体的には、パネル側嵌合部１１の給電用嵌合片２５，２６を取付側嵌合部５６の嵌合受け部７１の挿入空間７５内に挿入された状態で、さらに、挿入方向にパネル側嵌合部１１の給電用嵌合片２５，２６をスライド移動させ、その後、外力を加えて発光パネル２を取付装置３から引き抜く。
【０１７３】
このとき、パネル側給電端子３２，３３をパネル側給電部８６，８７に摺動させて取り外す。すなわち、パネル側給電端子３２，３３をパネル側給電部８６，８７に接触させながら、移動させて取り外す。
【０１７４】
またこのとき、パネル側嵌合部１１と取付側嵌合部５６の嵌合状態が解除されて、取付装置３に対して発光パネル２が分離される。
【０１７５】
このときの動作を嵌合受け部７１の内部に注目して説明すると、図１３（ａ）のように、給電用嵌合片２５，２６を再度押圧すると、案内棒９９の駆動部１１５は、係止溝（図示しない）から解放されて、戻側経路に移動する。スライド部材９６は、図１３（ｂ）のように、圧縮コイルばね９８に付勢されて、給電用嵌合片２５，２６を挿入空間７５の開口側に移動させる。
【０１７６】
案内棒９９の駆動部１１５が、ハート型のカム溝１００の始点に相対的に戻った時点で、スライド部材９６が停止する。そして、図１３（ｃ）のように給電用嵌合片２５，２６を引く抜くことにより、給電用嵌合片２５，２６が嵌合受け部７１の挿入空間７５内から離脱される。
【０１７７】
このように、嵌合受け部７１のイジェクト機構７６により、給電用嵌合片２５，２６は、挿入空間７５に押し込むとロックされ、給電用嵌合片２５，２６を再度押込むことで、ロックが解除されて給電用嵌合片２５，２６が挿入空間７５から排出することが可能となっている。
【０１７８】
続いて、発光パネル２を交換するために発光パネル２の姿勢を変化させる際の動作について説明する。まず、説明の都合上、取付装置３が平行姿勢を取っている状態から説明する。
【０１７９】
発光パネルの取付構造１は、図１のように、他の発光パネルの取付構造１とともに、被設置面４上に面状に広がりをもって分布されて発光パネルの並設構造９を形成している。また、発光パネル２は、他の発光パネル２と面一となっており、一つの平面を形成している。発光パネル２のパネル側嵌合部１１と取付装置３の取付側嵌合部５６は、図１４（ａ）のように、互いに嵌合しており、発光パネル２は、被設置面４に対して平行となっている。
【０１８０】
取付装置３は、平行姿勢において、軸部６５と嵌合受け部７１とで成す角度は、鈍角となっている。伸縮部５８は、縮んだ状態となっており、発光パネル２と被設置面４は、近接した状態となっている。また、取付側固定部５２，５３は、固定穴４５，４６に装着されており、取付側固定部５２，５３は、自然長若しくは自然長よりもやや伸びた状態となっている。
【０１８１】
続いて、発光パネル２を回動させて取付装置３を交差姿勢にする。
【０１８２】
このとき、図１４（ｂ）のように、取付側嵌合部５６よりも被設置面４側に位置する連結部６０を起点として、取付側嵌合部５６が被設置面４に対して直交する平面上を回動して交差姿勢となる。
【０１８３】
またこのとき、発光パネル２は、図１４（ｂ）のように、被設置面４に対して交差する方向に傾倒しており、被設置面４との隙間から嵌合受け部７１の挿入開口７４が視認可能となっている。
【０１８４】
具体的には、被設置面４に固定されたベース部５０と発光パネル２の発光面８の延長面がなす角度βは、１５度以上９０度以下となっている。
【０１８５】
この範囲であれば、交換時において、嵌合受け部７１の挿入開口７４が大きく開放され、容易に給電用嵌合片２５，２６を挿入可能となる。
【０１８６】
さらにこのとき、取付側固定部５２，５３は、発光パネル２の傾倒に伴って、平行姿勢時よりも伸びた状態となっており、被設置面４側への付勢力が働いている。
【０１８７】
そのため、発光パネル２は、パネル側嵌合部１１と取付側嵌合部５６の嵌合状態を解除しても、落下しない。
【０１８８】
そして、発光パネル２を新たな発光パネル２に交換する場合には、この交差姿勢において、発光パネル２を取り外して、新たな発光パネル２を取り付ける。
【０１８９】
すなわち、取付側嵌合部５６からパネル側嵌合部１１を引き抜いて嵌合状態を解除し、発光パネル２の固定片４２，４３の固定穴４５，４６から取付側固定部５２，５３を取り外す。その後、取付側固定部５２，５３を新たな発光パネル２の固定片４２，４３の固定穴４５，４６に取り付けた後に、パネル側嵌合部１１と取付側嵌合部５６を嵌合させて新たな発光パネル２を取付装置３に取り付ける。
【０１９０】
そして、必要に応じて、発光パネル２を回動させて取付装置３を平行姿勢にする。
【０１９１】
このとき、取付側固定部５２，５３の復元力によって被設置面４側に発光パネル２が付勢されるので、容易に交差姿勢から平行姿勢にすることが可能である。
【０１９２】
ところで、取付装置３を平行姿勢から交差姿勢に変更するにあたって、単に連結部６０に対する取付側嵌合部５６の回動動作のみの場合には、取付側嵌合部５６の位置は、上下方向において、平行姿勢のときとほぼ同じ位置となるため、発光パネル２の交換時に他の発光パネル２の存在が空間的に邪魔になる可能性がある。
【０１９３】
そこで、本実施形態の発光パネルの取付構造１は、上記したように取付装置３が伸縮部５８を備えている。そのため、取付装置３は、交差姿勢において、取付側嵌合部５６が上下方向への移動も可能となっている。
【０１９４】
すなわち、取付装置３は、図１５（ａ）のように、交差姿勢において、伸縮部５８が平行姿勢と同様の状態をとる基本姿勢と、伸縮部５８が伸びた状態をとる延伸姿勢とをとることが可能である。すなわち、基本姿勢は、発光パネル２が平行姿勢から回動動作のみによって姿勢変更がなされた場合にとる姿勢であり、伸縮部５８は、縮んだ状態となっている。つまり、取付側嵌合部５６の位置は、上下方向において、平行姿勢のときとほぼ同じか平行姿勢のときよりもやや低い位置にある姿勢である。
【０１９５】
延伸姿勢は、図１５（ｂ）のように、基本姿勢に対して、伸縮部５８が伸びており、発光パネル２は、基本姿勢に比べて、下方に位置する。
【０１９６】
換言すると、取付側嵌合部５６の位置は、延伸姿勢において、平行姿勢をとる他の発光パネル２の下面よりも低い位置になる。つまり、取付側嵌合部５６が平行姿勢のときの取付側嵌合部５６の位置よりも被設置面４に対して垂直方向に離れた位置に配置されている。そのため、取付側嵌合部５６にパネル側嵌合部１１を嵌合させる際に、他の発光パネル２よりも被設置面４に対して離れた位置で嵌合でき、他の発光パネル２が邪魔にならない。また、取付側固定部５２，５３は、延伸姿勢においては、平行姿勢時に比べて伸びた状態となっており、縮む方向に付勢力が働いている。そのため、交換後に平行姿勢に戻しやすい。
【０１９７】
ここで、上記した説明では、平行姿勢から交差姿勢への変更、及び基本姿勢から延伸姿勢への変更を独立して説明したが、実際には、平行姿勢から交差姿勢への変更時の回動動作に伴って、重心が下方に移動し、基本姿勢から延伸姿勢に切り替わる。
【０１９８】
すなわち、発光パネル２の自重又は使用者等の外力によって、伸縮部５８及び取付側固定部５２，５３の復元力に逆らって、伸縮部５８及び取付側固定部５２，５３が基本姿勢のときに比べて伸びる。そのため、パネル側嵌合部１１が平行姿勢をとる他の発光パネルの下面よりも下方に位置することとなる。
【０１９９】
以上のように、他の発光パネル２よりも下方でパネル側嵌合部１１と取付側嵌合部５６の嵌合状態を解除することができるので、他の発光パネルの空間的な影響を受けずに取り替えることが可能である。
【０２００】
そのため、発光パネル２，２間に、発光パネル２を取り付けるための作業用の隙間を形成する必要がなく、実質的に被設置面４に対して発光パネル２の無間隙配置が可能である。
【０２０１】
第１実施形態の発光パネルの取付構造１によれば、給電用嵌合片２５，２６を嵌合受け部７１に挿入するとともに、嵌合受け部７１の側面をなす側壁部１０７に給電用嵌合片２５，２６よりも厚みが大きい信号用固定片２７を添えているので給電用嵌合片２５，２６と嵌合受け部７１のみの嵌合状態に比べて、発光パネル２に撓みやぐらつきを抑制することができる。
【０２０２】
第１実施形態の発光パネルの取付構造１によれば、切り欠き部３０によって給電に寄与する２つの給電用嵌合片２５，２６に分割されているので、パネル側給電端子３２，３３同士は接触せず、正負独立して給電することが可能である。そのため、パネル側給電端子３２，３３が接触することによる短絡を防止することができ、安全性が高い。
【０２０３】
第１実施形態の発光パネルの取付構造１によれば、取付装置３から発光パネル２への給電を、パネル側嵌合部１１と取付側嵌合部５６の嵌合関係を用いて行うことが可能であるため、使用者にとって、簡便でかつ安全性及び信頼性が高い発光パネルの取付構造となる。
【０２０４】
第１実施形態の発光パネルの取付構造１によれば、挿入開口７４の一部を塞ぐように遮断部７８が設けられているため、使用者がＳＤカード等の他の部材を誤って挿入開口７４に挿入することを防止できる。
【０２０５】
第１実施形態の発光パネルの取付構造１によれば、取付側固定部５２，５３としてテーパー状の先端が絞られたコイルばねを使用し、取付側固定部５２，５３を固定穴４５，４６に挿入することによって固定しているため、容易に着脱できるとともに、発光パネル２を不意に落下することを防止することができる。
【０２０６】
第１実施形態の発光パネルの取付構造１によれば、給電用嵌合片２５，２６を発光パネル２の面方向において内側（中央側）から外側（端部側）に向かって移動させることによって、嵌合受け部７１に挿入させるので、給電用嵌合片２５，２６を装着すると、額縁部１０に対して力が加わる。このときの額縁部１０の反作用力は、内側に働くため、有機ＥＬパネル６がフレーム部材５によって押圧される。そのため、有機ＥＬパネル６とフレーム部材５の一体化強度が高く、有機ＥＬパネル６がフレーム部材５から脱離しにくい。
また、第１実施形態の発光パネルの取付構造１によれば、有機ＥＬパネル６の背面に補強部材７を備えているので、給電用嵌合片２５，２６を嵌合受け部７１に装着させる際の撓みによる荷重を補強部材７が受けるため、高強度であり、有機ＥＬパネル６が破損しにくい。
【０２０７】
第１実施形態の発光パネルの取付構造１では、取付装置３は、平行姿勢と交差姿勢に姿勢の変更が可能であり、平行姿勢及び交差姿勢のいずれの姿勢においても、発光パネル２を支持可能であるから、例えば、交差姿勢にした状態で発光パネルを照明として使用することができる。すなわち、レイアウトに合わせた発光パネル２の姿勢変更が可能であり、装飾性が高い。
【０２０８】
本実施形態の発光パネル２によれば、発光面８側に発光側覆部１５が位置しており、発光側覆部１５の外縁の大きさは、背面側覆部１７の外縁大きさよりも小さいため、使用者にフレーム部材５の幅を狭くみせることができる。また、端面覆部１６が傾斜しているので、回動動作において発光パネル２が他の発光パネルと接触することを防止することができる。
【０２０９】
続いて、第２実施形態の発光パネルの取付構造１５０について説明する。なお、第１実施形態と同様のものは同じ符番を付して説明を省略する。
【０２１０】
第２実施形態の発光パネルの取付構造１５０は、第１実施形態の取付装置３と構造が異なる。
【０２１１】
第２実施形態の取付装置１５１は、図１６のように、ベース部１５４（固定部）と、取付部１５２を有している。
【０２１２】
取付部１５２は、発光パネル２をベース部１５４に対して取り付ける部位であり、姿勢変更部１５５と、取付側嵌合部５６を有している。
【０２１３】
ベース部１５４は、第１実施形態のベース部５０と同様、天井等の被設置面４に固定される部位であり、取付装置１５１のベースとなる部位である。
【０２１４】
ベース部１５４は、図１６に示されるように、姿勢変更部１５５の第一螺旋部１５７を固定する固定軸１５６と、姿勢変更部１５５の他の部位を収納可能な第１切り欠き部１６０と、取付側嵌合部５６を収納可能な第２切り欠き部１６１を有している。
【０２１５】
固定軸１５６は、第１螺合部の内部を挿通する棒状の部位である。固定軸１５６の長手方向は、幅方向Ｘを向いている。
【０２１６】
第１切り欠き部１６０は、姿勢変更部１５５に沿って直線状に延びたスリットである。
【０２１７】
第２切り欠き部１６１は、第１切り欠き部１６０と連続した四角形状の穴である。
【０２１８】
姿勢変更部１５５は、取付装置１５１の姿勢を変更する部位である。
【０２１９】
姿勢変更部１５５は、図１７に示されるように弾性を有した１本の線状体に折り曲げ加工を施して形成されたものであり、幅方向Ｘにおいてコイル状に旋回された第一螺旋部１５７と、幅方向Ｘに対して直交する方向においてコイル状に旋回された第二螺旋部１５８と、第一螺旋部１５７と第二螺旋部１５８を繋ぐ接続部１５９を有している。
【０２２０】
第一螺旋部１５７は、固定軸１５６の外周に沿って旋回するように形成された部位である。
【０２２１】
第二螺旋部１５８は、第１切り欠き部１６０内に収まるように螺旋状に旋回された部位であり、伸縮可能な部位である。
【０２２２】
続いて、発光パネルの取付構造１５０の各姿勢の位置関係について説明する。
【０２２３】
なお、発光パネル２と取付側嵌合部５６との関係については、第１実施形態と同様であるため、姿勢変更部１５５及びその周囲の位置関係に着目して説明する。
【０２２４】
まず、平行姿勢における取付装置１５１の位置関係について説明する。
【０２２５】
姿勢変更部１５５は、第一螺旋部１５７内に固定軸１５６が挿通されており、固定軸１５６を回転軸として回動可能に支持されている。
【０２２６】
第二螺旋部１５８及び接続部１５９は、第１切り欠き部１６０内に収納されており、ベース部１５４に対して平行となっている。
【０２２７】
取付側嵌合部５６は、第２切り欠き部１６１内に収納されており、ベース部１５４に対して平行となっている。
【０２２８】
すなわち、第一螺旋部１５７、第二螺旋部１５８、接続部１５９、及び取付側嵌合部５６は、同一平面状に並んでいる。
【０２２９】
第二螺旋部１５８は、自然長若しくは自然長に比べて伸びた状態となっている。
【０２３０】
図１８（ａ）に示されるように、平行姿勢から交差姿勢に変更する際には、固定軸１５６を回転軸として、姿勢変更部１５５、取付側嵌合部５６、及び発光パネル２が回動する。
【０２３１】
このとき、取付側嵌合部５６が被設置面４に対して直交する平面上を回動して交差姿勢となる。
【０２３２】
ここで、第２実施形態の発光パネルの取付構造１５０においても、実際には、平行姿勢から交差姿勢への変更時の回動動作に伴って、重心が下方に移動し、図１８（ｂ）に示されるように、基本姿勢から延伸姿勢に切り替わる。
【０２３３】
すなわち、発光パネルの自重又は使用者等の外力によって、第二螺旋部１５８の復元力に逆らって、第二螺旋部１５８が基本姿勢のときに比べて伸びる。そのため、取付側嵌合部５６が平行姿勢をとる他の発光パネル２の下面よりも下方に位置することとなる。
【０２３４】
第２実施形態の発光パネルの取付構造１５０によれば、平行姿勢と交差姿勢との間の姿勢変更及び基本姿勢と延伸姿勢との間の姿勢変更を姿勢変更部１５５によって行うことができるため、部品点数を削減することが可能である。
【０２３５】
続いて、第３実施形態の発光パネルの取付構造２００について説明する。なお、第１，２実施形態と同様のものは同じ符番を付して説明を省略する。
【０２３６】
第３実施形態の発光パネルの取付構造２００は、第１実施形態とパネル側嵌合部及び取付側嵌合部の形状が異なる。
【０２３７】
第３実施形態のパネル側嵌合部２０１は、図１９のように、有機ＥＬパネル６の背面側から立ち上がった立壁部２０６と、立壁部２０６の先端部から外側に向かって給電用嵌合片２０４を有している。
【０２３８】
給電用嵌合片２０４は、円柱状の部位であり、外周面にパネル側給電端子２０２，２０３を備えている。
【０２３９】
第３実施形態のパネル側給電端子２０２，２０３は、第１実施形態のパネル側給電端子３２，３３と同様、発光パネル２を組み立てた際に、発光パネル２のパネル側給電部８６，８７と電気的に接続される部位であり、発光パネル２を取付装置３に取り付けた際に、取付側給電端子２１０，２１１との電気的な接点となる部位である。
【０２４０】
取付側嵌合部２０５は、パネル側嵌合部２０１と嵌合可能な部位である。
【０２４１】
取付側嵌合部２０５は、ボール受け部７０と、嵌合受け部２０８から形成されている。
【０２４２】
嵌合受け部２０８は、円筒状の部位であり、その内側に給電用嵌合片２０４を嵌挿可能となっている。
【０２４３】
嵌合受け部２０８は、図２０の拡大図に示されるように、その内周面に取付側給電端子２１０，２１１を有している。
【０２４４】
取付側給電端子２１０，２１１は、第１実施形態の取付側給電端子９０，９１と同様、外部電源と電気的に接続可能な部位であり、発光パネル２を取付装置３に取り付けたときに、パネル側嵌合部２０１のパネル側給電端子２０２，２０３と接触する部位である。
【０２４５】
続いて、発光パネルの取付構造２００の各姿勢の位置関係について説明する。
【０２４６】
なお、パネル側嵌合部２０１及び取付側嵌合部２０５との関係以外については、第１実施形態と同様であるため、パネル側嵌合部２０１及び取付側嵌合部２０５についてのみ簡単に述べる。
【０２４７】
まず、平行姿勢における取付装置の位置関係について説明する。
【０２４８】
給電用嵌合片２０４は、図２０に示されるように、嵌合受け部２０８内に嵌挿されており、パネル側給電端子２０２，２０３は、取付側給電端子２１０，２１１と接触している。
【０２４９】
給電用嵌合片２０４の軸方向は、ベース部５０に対して平行となっており、嵌合受け部２０８の軸方向と同一方向を向いている。
【０２５０】
平行姿勢から交差姿勢に変更すると、取付側嵌合部２０５が被設置面４に対して直交する平面上を回動して交差姿勢となる。
【０２５１】
ここで、第３実施形態の発光パネルの取付構造２００においても、実際には、平行姿勢から交差姿勢への変更時の回動動作に伴って、重心が下方に移動し、基本姿勢から延伸姿勢に切り替わる。すなわち、取付側嵌合部２０５が平行姿勢をとる他の発光パネルの下面よりも下方に位置することとなる。
【０２５２】
続いて、第４実施形態の発光パネルの取付構造２５０について説明する。なお、第１〜３実施形態と同様のものは同じ符番を付して説明を省略する。
【０２５３】
第４実施形態の発光パネルの取付構造２５０は、第１実施形態と取付部が異なる。
【０２５４】
第４実施形態の取付部２５１は、図２１に示されるように、第１実施形態の取付部５１と同様、発光パネル２をベース部５０に対して取り付ける部位であり、姿勢変更部２５２と、取付側嵌合部２５３を有している。
【０２５５】
姿勢変更部２５２は、伸縮自在の伸縮部５８と、接続部５９と、連結部２５５から形成されている。
【０２５６】
連結部２５５は、接続部５９の斜面６２に対して立設された軸固定部２５６，２５７と、軸固定部２５６，２５７によって支持された軸部２５８を有している。
【０２５７】
軸部２５８は、接続部５９の斜面６２に対して所定の間隔を空けて平行に支持されている。
【０２５８】
取付側嵌合部２５３は、図２１に示されるように、軸受け部２６０，２６１と、骨格部６９と、嵌合受け部７１から形成されている。
【０２５９】
軸受け部２６０，２６１は、軸部２５８が挿通可能な筒状の部位であり、軸受け部２６０，２６１はその軸線が同一直線上に位置している。
【０２６０】
続いて、発光パネルの取付構造２５０の各姿勢の位置関係について説明する。
【０２６１】
なお、取付部２５１以外の構成については、第１実施形態と同様であるため、取付部２５１の位置関係に着目して簡潔に説明する。
【０２６２】
まず、平行姿勢における取付装置の位置関係について説明する。
【０２６３】
軸部２５８は、軸受け部２６０，２６１の双方に跨がって挿通されている。
【０２６４】
そのため、軸受け部２６０，２６１は、軸部２５８を回転軸として周方向に回動可能となっている。すなわち、発光パネル２は、軸部２５８を中心として被設置面４に対して直交方向に伸びる平面上を回転可能となっている。また、軸受け部２６０，２６１は、図２２（ａ）のように、ベース部５０に対して平行となっている。
【０２６５】
平行姿勢から交差姿勢に変更すると、図２１（ｂ）に示されるように、取付側嵌合部２５３が被設置面４に対して直交する平面上を回動して交差姿勢となる。
【０２６６】
すなわち、発光パネル２は、軸部２５８を中心として被設置面４に対して直交方向に伸びる平面上を回転して、被設置面４に対して交差する姿勢となる。
【０２６７】
上記した第１実施形態では、発光パネル２は、取付側固定部５２，５３によっても支持されていたが、本発明はこれに限定されるものではなく、取付側固定部５２，５３を取り除いてもよい（第５実施形態）。
【０２６８】
この場合について説明すると、第５実施形態の発光パネルの取付構造３００は、第１実施形態の発光パネルの取付構造１と同様、図２３（ａ），図２３（ｂ）のように、平行姿勢と、交差姿勢をとる。
【０２６９】
そして、第５実施形態の発光パネルの取付構造３００は、第１実施形態の発光パネルの取付構造１と異なり、取付側固定部５２，５３が設けられていないので、交差姿勢において、発光パネル２が取付側固定部５２，５３により係止されず、図２３（ｂ）のように被設置面４に対して発光パネル２が垂直となる垂直姿勢をとることが可能となる。
【０２７０】
また、この垂直姿勢の状態において、第５実施形態の発光パネルの取付構造３００は、第１実施形態と同様、伸縮部５８を備えているので、図２４のように、基本姿勢（図２４（ａ））から延伸姿勢（図２４（ｂ））に変更することによって、上下方向にスライド移動も可能となる。すなわち、発光パネル２の交換時において、垂直姿勢のまま発光パネル２の脱着が可能となる。
【０２７１】
勿論、垂直姿勢以外の交差姿勢においても上記した実施形態と同様の姿勢変更が可能である。
【０２７２】
この第５実施形態の発光パネルの取付構造３００によれば、発光パネル２の垂直脱着が可能であるため、より低い位置で発光パネル２を交換することが可能である。
【０２７３】
また、第５実施形態の発光パネルの取付構造３００によれば、取付側固定部５２，５３が設けられていないので、ボール部６６を通過する水平面においてボール部６６を中心として周方向の動きも可能となる。すなわち、発光パネルの取付構造３００では、連結部６０のボール部６６と、取付側嵌合部５６のボール受け部７０との関係で自在継手を形成しているので、図２５のように連結部６０のボール部６６を中心として被設置面４に対して平行な面上での回転も可能である。そのため、発光パネル２を面方向に回動させることによって、居住空間内のレイアウトの変更も可能である。
【０２７４】
上記した実施形態では、ベース部５０と接続部５９の間に伸縮部５８が位置していたが、本発明はこれに限定されるものではなく、伸縮部５８は、ベース部５０と接続部５９との間に介在していればよい。
【０２７５】
上記した実施形態では、複数の発光パネルの取付構造１を並設して発光パネルの並設構造９を形成したが、本発明はこれに限定されるものではなく、発光パネルの取付構造１は単独でも使用できる。
【０２７６】
上記した実施形態では、１つのベース部に対して、１つの取付部を設けていたが、本発明はこれに限定されるものではなく、１つのベース部に対して複数の取付部を設けてもよい。この場合、１つのベース部に対して、複数の発光パネルが取り付けられることとなる。
【０２７７】
この場合の一例について簡単に説明すると、発光パネル２は、面状に広がりをもって並んでおり、複数の取付側嵌合部が、発光パネル２に対応して配される。
【０２７８】
そして、取付側嵌合部の回動中心たるボール部６６は、発光パネルの嵌合方向の長さの間隔で並設される。
【０２７９】
上記した実施形態では、ベース部５０を介して伸縮部５８を被設置面４に接続したが、本発明はこれに限定されるものではなく、図２６のように伸縮部５８を被設置面４に直接接続してもよい。また、上記と同様、姿勢変更部５５を直接被設置面４に接続してもよい。
【０２８０】
上記した実施形態では、伸縮部５８の断面形状は、円筒状であったが、本発明はこれに限定されるものではなく、外形が多角形状であってもよい。
【０２８１】
上記した実施形態では、伸縮部５８として蛇腹を使用したが本発明はこれに限定されるものではなく、伸縮部５８は、伸縮機能を有していればよい。例えば、ゴムやバネ等の弾性体であってもよい。
【０２８２】
上記した実施形態では、取付側固定部５２，５３として、コイルばねを使用したが、本発明はこれに限定されるものではなく、発光パネル２を固定できるものであればよい。例えば、取付側固定部５２，５３として磁石を使用してもよい。この場合、補強部材７を強磁性体にして磁力で固定することが好ましい。
【０２８３】
上記した実施形態では、発光パネル２に給電用嵌合片２５，２６を設け、給電用嵌合片２５，２６を取付装置３の嵌合受け部７１に挿入することによって嵌合したが、本発明はこれに限定されるものではなく、取付装置３に給電用嵌合片２５，２６を設け、発光パネル２に嵌合受け部７１を設けて、給電用嵌合片２５，２６を嵌合受け部７１に挿入することによって嵌合してもよい。すなわち、発光パネル２と取付装置３との嵌合関係が逆転していてもよい。
【符号の説明】
【０２８４】
１，１５０，２００，２５０，３００  発光パネルの取付構造
２  発光パネル
３，１５１  取付装置
４  被設置面
８  発光面
１１，２０１  パネル側嵌合部
３２，３３，２０２，２０３  パネル側給電端子
５０  ベース部（固定部）
５６，２０５，２５３  取付側嵌合部
５８  伸縮部
６０，２５５  連結部
６６  ボール部
７０  ボール受け部
８０  有機ＥＬ素子（発光素子）
８２  第１電極層
８３  有機発光層
８５  第２電極層
９０，９１，２１０，２１１  取付側給電端子
１５８  第二螺旋部（伸縮部）
【図１】
2015138576.tif 000003
【図２】
2015138576.tif 000004
【図３】
2015138576.tif 000005
【図４】
2015138576.tif 000006
【図５】
2015138576.tif 000007
【図６】
2015138576.tif 000008
【図７】
2015138576.tif 000009
【図８】
2015138576.tif 000010
【図９】
2015138576.tif 000011
【図１０】
2015138576.tif 000012
【図１１】
2015138576.tif 000013
【図１２】
2015138576.tif 000014
【図１３】
2015138576.tif 000015
【図１４】
2015138576.tif 000016
【図１５】
2015138576.tif 000017
【図１６】
2015138576.tif 000018
【図１７】
2015138576.tif 000019
【図１８】
2015138576.tif 000020
【図１９】
2015138576.tif 000021
【図２０】
2015138576.tif 000022
【図２１】
2015138576.tif 000023
【図２２】
2015138576.tif 000024
【図２３】
2015138576.tif 000025
【図２４】
2015138576.tif 000026
【図２５】
2015138576.tif 000027
【図２６】
2015138576.tif 000028